(57)【要約】【課題】  維持コストを掛けずに、情報を簡易的に広く伝達することができるシステムを提供する。【解決手段】  不揮発性メモリを備え外部からの電磁波による電力供給により駆動する無線通信機能付きの複数の情報保持装置２を、公共の場の複数の設定位置に分散配置する。情報伝達移動体３は、情報保持装置２への情報の書き込みと、情報保持装置２からの情報の読み出しとが可能なものである。この情報伝達移動体３は、移動物体に携行されて移動し、一つの情報保持装置２から読み取った情報を別の情報保持装置２に供給しながら、各情報保持装置２が保持している情報を他の情報保持装置２に伝達していく。【選択図】        図２
2005063310.tif 000002
【特許請求の範囲】
【請求項１】
不揮発性メモリを備え外部からの電磁波による電力供給により駆動する無線通信機能付きの複数の情報保持装置と、当該情報保持装置との間で情報を無線通信し当該情報を運ぶ情報伝達移動体とを有する情報伝達システムであって、複数の情報保持装置は、それぞれ、公共の場の予め定められた複数の位置に分散設置されており、当該情報保持装置には、不揮発性メモリが設けられると共に、無線通信により受信した情報を不揮発性メモリに書き込む情報書き込み部と、情報伝達移動体からの情報送信要求に応えて不揮発性メモリから送信要求対象の情報を読み出す情報読み出し部と、その読み出した情報を無線通信により情報伝達移動体に向けて送信する情報送信部とが設けられており、また、情報伝達移動体には、情報保持装置から無線通信により受信した情報を格納する情報格納部と、当該情報格納部に格納されている情報を読み出して情報保持装置に向けて無線送信する情報供給部と、情報保持装置に向けて電力供給のための電磁波を送信する電力供給部とが設けられており、情報伝達移動体は、移動物体に携行されて移動し、一つの情報保持装置から読み取った情報を別の情報保持装置に供給しながら、各情報保持装置が保持している情報を他の情報保持装置に伝達して行くことを特徴とする情報伝達システム。
【請求項２】
少なくとも一つの情報保持装置には、インターネットに接続して情報通信を行うインターネット通信部が設けられており、当該情報保持装置は、インターネット通信部によって、不揮発性メモリに格納されている情報をインターネットを介して予め指定された送信相手に送信する機能と、インターネットを介して受信した情報を不揮発性メモリに格納する機能との一方又は両方を備えていることを特徴とする請求項１記載の情報伝達システム。
【請求項３】
複数の情報保持装置は互いに信号接続し合っており、それら信号接続し合う全ての情報保持装置には、それぞれ、信号通信によって、信号接続し合っている全ての情報保持装置の不揮発性メモリに同じ情報を持たせるための情報同期部が設けられており、信号接続し合っている複数の情報保持装置のうちの一つに情報伝達移動体から情報が供給されたときには、その供給された情報は、情報同期部によって、信号接続し合っている他の情報保持装置にも格納され当該他の情報保持装置から上記供給された情報を読み出せることを特徴とする請求項１又は請求項２記載の情報伝達システム。
【発明の詳細な説明】
【技術分野】
【０００１】
本発明は、電源を持たない複数の情報保持装置を分散配置し、当該情報保持装置に情報を伝達していく情報伝達システムに関するものである。
【背景技術】
【０００２】
ある人が特定又は不特定の相手に対してメッセージを伝える手段の一つとして、例えば駅等の公共の場に設置されている伝言板を利用する手段がある。また、商品やイベント等の宣伝は掲示板を利用して行われることがある。さらに、そのようなメッセージの伝言や、商品やイベント等の宣伝は、インターネットを利用して行われることがある。
【０００３】
【特許文献１】特開２００２−１６３７２２号公報
【特許文献２】特開２００２−２６８５９３号公報
【発明の開示】
【発明が解決しようとする課題】
【０００４】
伝言板や掲示板は大きいものであるので、設置するためのスペースが広く必要であり、設置可能な場所が限られてしまう。このため、伝言板や掲示板の設置数を増加することはなかなかできず、それら伝言板や掲示板を利用した伝言や宣伝等の情報の伝達能力は高いものとは言えない。
【０００５】
また、インターネットを利用する場合には、インターネットを介した通信網を構築するために、例えば携帯型電話機等と通信接続する基地局が必要であり、その基地局は大きな設置スペースが必要であるし、また、維持にコストが掛かるという問題がある。
【０００６】
本発明は上記課題を解決するために成されたものであり、その目的は、コストを掛けずに、簡単に、情報を広く伝達することを可能にする情報伝達システムを提供することにある。
【課題を解決するための手段】
【０００７】
上記目的を達成するために、この発明は次に示す構成をもって前記課題を解決するための手段としている。すなわち、この発明は、不揮発性メモリを備え外部からの電磁波による電力供給により駆動する無線通信機能付きの複数の情報保持装置と、当該情報保持装置との間で情報を無線通信し当該情報を運ぶ情報伝達移動体とを有する情報伝達システムであって、複数の情報保持装置は、それぞれ、公共の場の予め定められた複数の位置に分散設置されており、当該情報保持装置には、不揮発性メモリが設けられると共に、無線通信により受信した情報を不揮発性メモリに書き込む情報書き込み部と、情報伝達移動体からの情報送信要求に応えて不揮発性メモリから送信要求対象の情報を読み出す情報読み出し部と、その読み出した情報を無線通信により情報伝達移動体に向けて送信する情報送信部とが設けられており、また、情報伝達移動体には、情報保持装置から無線通信により受信した情報を格納する情報格納部と、当該情報格納部に格納されている情報を読み出して情報保持装置に向けて無線送信する情報供給部と、情報保持装置に向けて電力供給のための電磁波を送信する電力供給部とが設けられており、情報伝達移動体は、移動物体に携行されて移動し、一つの情報保持装置から読み取った情報を別の情報保持装置に供給しながら、各情報保持装置が保持している情報を他の情報保持装置に伝達して行くことを特徴としている。
【発明の効果】
【０００８】
この発明では、上記のように、複数の情報保持装置が、それぞれ、公共の場の複数の予め定められた位置に分散配置されており、情報伝達移動体は移動物体に携行されて移動し、一つの情報保持装置から読み取った情報を別の情報に供給しながら、各情報保持装置が保持している情報を他の情報保持装置に伝達していく構成とした。
【０００９】
この発明を構成する情報保持装置は、外部からの電磁波による電力供給により駆動するものであり、電源を持たなくとも済むため、電源を省略して小型化を図ることが容易である。電源を持たない小型な情報保持装置は、例えば、大きな設置スペースを要せず、また、人の通行の邪魔になる心配がない等の理由から、設置制限が緩くなる。これにより、情報保持装置を多くの場所に設置することが可能となるし、また、情報保持装置は電源を持たないため、情報保持装置の維持コストを非常に小さく抑えることができる。
【００１０】
また、この発明では、移動物体に携行して移動する情報伝達移動体によって、各情報保持装置間の情報の伝達が成されるので、情報を伝達するための例えば通信ケーブルや基地局等の大がかりな設備が不要である。
【００１１】
さらに、この発明では、情報保持装置と情報伝達移動体との間の情報通信は、無線通信を利用して行うので、情報保持装置と情報伝達移動体は非接触で情報通信を行うことができる。このため、情報保持装置と情報伝達移動体を例えばコネクタ接続する等の面倒な手間をかけることなく、気軽に、情報保持装置と情報伝達移動体との間で情報通信を行うことができる。これにより、この発明の情報伝達システムは、活用し易くなり、多くの人に利用し易いシステムとなっている。
【００１２】
さらにまた、情報保持装置を公共の多くの場に設置することで、各情報保持装置間の情報伝達移動体を介した情報伝達をスムーズに行わせることが容易となるし、また、多くの情報を広く伝達させることが可能となる。特に、例えば駅の改札機のゲートのように多くの人が通行する位置に情報保持装置を設置しておけば、より多くの人（情報伝達移動体）に情報を伝達することができて、情報伝達の範囲をより一層広げることができる。
【００１３】
上記のようなことから、この発明の情報伝達システムでは、大がかりな設備を用いることなく、維持コストを抑制しながら、多くの情報を簡易的に広く伝達していくことが可能になるという画期的なものである。
【００１４】
さらに、少なくとも一つの情報保持装置に、インターネットに接続して情報通信を行うインターネット通信部を設けることによって、例えば、インターネットに接続する手段を持たない人でも、インターネットに送信したい情報（インターネット送信要求有りの情報）を情報伝達移動体から情報保持装置に送信して保持させることにより、その情報保持装置がインターネット通信部を備えている場合には当該情報保持装置から直接的にインターネット送信要求有りの情報をインターネットに送信させることができ、また、その情報保持装置がインターネット通信部を備えていなくとも、当該情報保持装置から情報伝達移動体を利用した情報伝達によってインターネット通信部を持つ情報保持装置にインターネット送信要求有りの情報が伝達されることにより、そのインターネット送信要求有りの情報をインターネットに送信することが可能となる。
【００１５】
さらに、複数の情報保持装置は互いに信号接続し合う構成とし、それら信号接続し合う情報保持装置には、それぞれ、情報同期部が設けられ、当該情報同期部によって、信号接続し合っている全ての情報保持装置は、同じ情報を保持する構成とすることにより、信号接続し合っている複数の情報保持装置のうちの一つに情報が供給されたときには、その供給された情報は情報同期部によって、信号接続し合っている他の情報保持装置にも格納され、他の情報保持装置から上記供給された情報を読み出すことができる。このような構成を備えることによって、この発明の情報伝達システムは、更なる展開を図ることができる。
【発明を実施するための最良の形態】
【００１６】
以下に、この発明に係る実施形態例を図面に基づいて説明する。
【００１７】
第１実施形態例の情報伝達システムは、図２のイメージ図に示されるように、複数の情報保持装置２と、１つ以上の情報伝達移動体３とを有して構成されている。この情報伝達システム１では、情報伝達移動体３が、例えば、一つの情報保持装置２に保持されている情報を無線通信により読み出して保持し、当該情報伝達移動体３が人や車等の移動物体に携行されて移動して、保持している情報を無線通信により他の情報保持装置２に供給しながら、情報を伝達していくことが可能な構成と成している。
【００１８】
すなわち、この第１実施形態例では、情報保持装置２は、ＲＦタグやＲＦＩＤ（Radio Frequency IDentification）等と呼ばれるものにより構成されている。この情報保持装置（以下、ＲＦタグと記す）２の大きさは特に限定されるものではないが、その大きさの一例を示すと、例えば、縦×横×厚みが６０mm×１０mm×０．５mm程度のものがある。このように、ＲＦタグ２は小型・薄型化が可能であり、大きな設置スペースを使用しなくとも配設することができ、また、設置しても人の通行等の邪魔にならないものである。このため、ＲＦタグ２は、様々な場所に配設することが可能である。
【００１９】
この第１実施形態例では、複数の情報保持装置２が、それぞれ、公共の場の予め定めた複数の位置（例えば、駅等の公共施設内の壁や、駅の改札通路壁や、電柱や、ドアや、路面や、看板や、標識や、バス停の時刻表など）に点在設置されている。
【００２０】
ＲＦタグ２は、図１のブロック構成図に示されるように、アンテナ４と、駆動用電力発生部５と、制御装置６と、フラッシュメモリ７とを有して構成されている。駆動用電力発生部５は、情報伝達移動体３側から送信されアンテナ４で受信された電力発生用の電磁波を利用して電力を発生させる構成を備えている。この駆動用電力発生部５によって、ＲＦタグ２は、外部からの電磁波による電力供給によって駆動することが可能である。これにより、ＲＦタグ２には、電源が備えられておらず、外部から電力供給のための電磁波を受信している期間だけ、タグ内に電力が通電して駆動する。
【００２１】
フラッシュメモリ７は不揮発性メモリであり、電力の供給が無くとも、格納されている情報を保持し続けることができるものである。つまり、ＲＦタグ２の内部回路には、上述したように、外部からの電磁波による電力供給の期間だけしか電力が通電しないが、不揮発性メモリ（フラッシュメモリ７）を利用することにより、電力供給が停止してもメモリに格納されている情報は消去されずに保持し続けることができる。
【００２２】
制御装置６は、情報書き込み部８と、情報読み出し部９と、受信部１０と、情報送信部１１とを有して構成されている。
【００２３】
受信部１０は、アンテナ４を介して情報を受信したときに、その受信情報を情報書き込み部８に向けて出力し、情報書き込み部８は、その受信情報をフラッシュメモリ７に書き込む。
【００２４】
情報読み出し部９は、情報伝達移動体３側からアンテナ４と受信部１０を介して情報送信要求を受け取ったときには、その送信要求の対象となっている情報をフラッシュメモリ７から読み出して情報送信部１１に出力する。情報送信部１１は、その読み出された情報をアンテナ４を介して、情報伝達移動体３に向けて無線送信する。
【００２５】
情報伝達移動体３は、図１のブロック構成図に示されるように、アンテナ１３と、記憶部１４と、電力供給部１５と、制御装置１６とを有して構成されており、制御装置１６は、アクセス制御部１７と、情報供給部１８と、情報取り込み部１９とを有して構成されている。
【００２６】
電力供給部１５は、ＲＦタグ２に電力供給のための電磁波を送信するものであり、例えば、ＲＦタグ２に近付くと、自動的にその近付いたＲＦタグ２に向けてアンテナ１３を介し電力発生用の電磁波を送信する構成を有する。つまり、情報伝達移動体３は、ＲＦタグ２と非接触な状態で、ＲＦタグ２に向けて電力を供給することができる。
【００２７】
記憶部１４は情報格納部２１とプログラム格納部２２を有しており、そのプログラム格納部２２には、ＲＦタグ２との無線通信を行うための予め定められた制御手順のプログラムが格納されている。アクセス制御部１７は、そのプログラムに従ってＲＦタグ２との無線通信を制御する。なお、その無線通信のための制御手順には様々な手順があり、ここでは、その制御手順は特に限定されるものではなく、何れの制御手順に従ってＲＦタグ２と無線通信を行ってもよく、その説明は省略する。
【００２８】
情報取り込み部１９は、プログラム格納部２２に予め格納されている情報取り込み制御用のプログラムに従って、ＲＦタグ２に格納されている情報を取り込む構成を有している。例えば、情報取り込み部１９は、アクセス制御部１７とアンテナ１３を介しＲＦタグ２に向けて情報送信要求を送信し、また、送信要求対象情報を指定するための信号をＲＦタグ２に向けて送信する。この第１実施形態例では、その情報送信要求を受けてＲＦタグ２の情報読み出し部９と情報送信部１１が動作して、情報伝達移動体３により送信を要求された指定の情報がＲＦタグ２から情報伝達移動体３に向けて無線送信される。そして、情報取り込み部１９は、そのＲＦタグ２から送信されてきた情報をアンテナ１３とアクセス制御部１７を介し受信し、当該受信した情報を記憶部１４の情報格納部２１に格納する。
【００２９】
なお、ＲＦタグ２に複数の情報が格納されている場合には、それら格納されている複数の情報のうちの一部を取り込んでもよいし、全部を取り込んでもよい。ＲＦタグ２に格納されている一部の情報を取り込むか全部を取り込むかは、予めプログラムにより定めておいてもよいし、例えば情報伝達移動体３に備えられている操作キー等の外部入力手段（図示せず）により指示され当該指示に従ってＲＦタグ２の一部又は全部の格納情報を取り込んでもよいという如く、様々な手法が考えられ、ここでは、何れの手法を採用してもよい。
【００３０】
情報供給部１８は、例えば、情報伝達移動体３に備えられている外部入力手段の例えばキー操作により、情報格納部２１に格納されている情報の中から、ＲＦタグ２に書き込みたい情報が指定されたときには、その書き込み指定が成された情報を情報格納部２１から読み出し、当該情報をアクセス制御部１７とアンテナ１３を介しＲＦタグ２に向けて送信する。これにより、ＲＦタグ２では、受信部１０と情報書き込み部８が動作して、その情報伝達移動体３側からの情報をフラッシュメモリ７に書き込む。
【００３１】
上記のように、情報伝達移動体３は、ＲＦタグ２に情報を無線通信により送信してＲＦタグ２に情報を格納させる（書き込ませる）機能と、無線通信を利用してＲＦタグ２から情報を読み出して保持する機能とを備えている。この情報伝達移動体３は、それら機能を備えた情報伝達システム１専用の装置形態と成していてもよいし、上記機能を付加した携帯型電話機や腕時計等の人が携帯できる装置形態と成していてもよいし、車載装置の形態と成していてもよく、移動物体に携行することができる形態であれば、情報伝達移動体３の形態は特に限定されるものではない。
【００３２】
この第１実施形態例の情報伝達システム１の主要構成は上記のように構成されている。この情報伝達システム１では、次に示すように情報伝達が成される。例えば、図２に示されるように、情報伝達移動体３（３Ａ）が移動物体（人や車等）に携行されてＡ位置に移動したときに、その情報伝達移動体３ＡからＡ位置のＲＦタグ２に向けて電力供給のための電磁波が送信され、この電磁波供給によりＲＦタグ２が駆動を開始する。そして、ＲＦタグ２の駆動中に、そのＲＦタグ２のフラッシュメモリ７に格納されている例えば「情報ａ」が無線通信によりＲＦタグ２から情報伝達移動体３Ａに送信されると、当該「情報ａ」は情報伝達移動体３Ａに保持される。このように情報伝達移動体３に保持された情報の内容は、例えば、情報伝達移動体３に備えられている例えば液晶画面等の表示手段により見たり、スピーカー等から音により聞くことができる。
【００３３】
なお、ＲＦタグ２は、例えば駅の改札機のゲートのように、人が意識せずに近付く場所に設置されている場合と、人が意識しないと分からないような場所に設置されている場合とがある。無意識に近付く場所にＲＦタグ２が設置されている場合には、例えば、ＲＦタグ２から、接近した情報伝達移動体３に対して自動的に情報が送信される構成としておくことにより、例えば、商品の広告等を多くの人に伝達することができる。
【００３４】
然る後に、情報伝達移動体３Ａが移動物体に携行されてＡ位置からＢ位置に移動したときに、情報伝達移動体３ＡからＢ位置のＲＦタグ２に向けて電力供給のための電磁波が送信され、この電磁波供給によりＢ位置のＲＦタグ２が駆動開始する。そして、情報伝達移動体３Ａから「情報ａ」がＢ位置のＲＦタグ２に向けて送信されると、当該Ｂ位置のＲＦタグ２のフラッシュメモリ７に「情報ａ」が書き込まれる。
【００３５】
なお、情報伝達移動体３が複数の情報伝達用の情報を保持している場合には、それら保持している複数の情報伝達用の情報の中から、例えばキー操作により指定された情報だけが情報伝達移動体３からＲＦタグ２に送信される構成としてもよいし、また、商品広告のように広めたい情報には、例えば、転送必要という旨の情報を付与しておいて、その広めたい情報が情報伝達移動体３から自動的にＲＦタグ２に送信されて当該ＲＦタグ２に書き込まれる構成としてもよい。
【００３６】
上記のようにして、第１実施形態例の情報伝達システム１では、情報伝達移動体３が、移動物体に携行されて移動し、一つのＲＦタグ２から読み取った情報を別のＲＦタグ２に供給しながら、各ＲＦタグ２が保持している情報を他のＲＦタグ２に伝達していく。
【００３７】
この第１実施形態例の情報伝達システム１において伝達される情報としては、例えば、商品広告や、特定又は不特定の人に向けての伝言や、映画やイベントの宣伝や、情報提供を呼びかけるメッセージ等の様々なものが考えられ、特に限定されるものでない。なお、ここで述べる実施形態例の説明では、そのような情報をメッセージ情報と記すこととする。
【００３８】
ところで、この第１実施形態例では、上記のようなメッセージ情報には、図３のイメージ図に示されるように、メッセージ情報の宛先情報および送信元の情報と、メッセージ情報のフォーマット形式を知らせる情報（メッセージフォーマット情報）と、メッセージ情報の長さの情報（メッセージ長さ情報）とが付与される。
【００３９】
なお、メッセージ情報の宛先は、メッセージ情報の提供者により定められるものであり、例えば、特定の個人である場合もあるし、条件（例えば性別や年齢等）が与えられて当該条件を満たす個人やグループである場合もあるし、また、特定されておらず無制限である場合もある。メッセージの提供者により定められた宛先は、宛先を表す名前や、宛先が持つ固有のＩＤや、条件や、無制限であることを表す記号等がコード又は文字の態様でもって宛先情報としてメッセージ情報に付与される。また、メッセージ情報の送信元情報は、メッセージ情報を送信した情報伝達移動体３又はＲＦタグ２を識別するための例えばＩＤ等の態様でもってメッセージ情報に付与される。
【００４０】
上記のように、メッセージ情報に送信元の情報を付与することにより、次に示すようなことが可能となる。例えば、情報伝達システム１では、複数のＲＦタグ２が、公共の場の複数の位置に点在配置されているので、各々のＲＦタグ２に書き込まれているメッセージ情報に付与されている送信元情報に基づいて、ある特定の人の足取りを辿ることができる。具体例の一つを挙げると、例えば、痴呆症などにより介護が必要な人に情報伝達移動体３を携帯させておき、当該情報伝達移動体３から自動的にＲＦタグ２に向けて、送信元情報（つまり、自分自身の固有のＩＤ情報など）が付与されたメッセージ情報が送信されてＲＦタグ２に書き残されていく構成としておく。これにより、介護が必要な人が迷子になっても、他の者が、ＲＦタグ２に書き残されたメッセージ情報およびそれに付与されている送信元情報に基づいて、その人を探し出すことが可能となる。また、方向音痴な人自身が、携帯している情報伝達移動体３から各所のＲＦタグ２に、送信元情報が付与されたメッセージ情報を書き残しながら目的地に向かっていけば、帰りは、その人自身がＲＦタグ２に書き残したメッセージ情報の送信元情報に基づいて、帰路を確認しながら帰り着くことができる。
【００４１】
図３の例では、メッセージ情報には、宛先情報と送信元情報とメッセージフォーマット情報とメッセージ長さ情報に加えて、情報伝達移動体３とＲＦタグ２間で当該メッセージ情報の無線通信が行われた時刻の情報（通信時刻情報）と、メッセージ情報の有効期限の情報（保持有効期限情報）と、メッセージ情報の読み出し回数の情報と、メッセージ情報を他に転送するか否かの転送要否情報と、転送回数情報とが付与されている。
【００４２】
メッセージ情報に通信時刻情報を付与する構成とすることにより、ＲＦタグ２から情報伝達移動体３へ、又は、情報伝達移動体３からＲＦタグ２へ、メッセージ情報が転送されたときの時刻が分かることになるので、ＲＦタグ２や情報伝達移動体３において、その通信時刻情報を利用して、フラッシュメモリ７や情報格納部２１に保持しているメッセージ情報を後述するように管理することが可能となる。
【００４３】
また、メッセージ情報に保持有効期限情報を付与することにより、次に示すようなことが可能となる。例えば、メッセージ情報の内容が懸賞応募に関するもので締め切り期日があるという如く、情報公開に必要な期間が定められている場合に、ＲＦタグ２や情報伝達移動体３は、メッセージ情報に付与されている有効期限情報に基づいて、メッセージ情報が情報公開に必要な期間を過ぎたか否かを判断することが可能となる。そして、メッセージ情報が公開期限を過ぎたことを検知したときに、そのメッセージ情報を廃棄（消去）することが可能となる。これにより、不要な情報を自動的に消去することができて、情報伝達システム１の使い勝手や、利便性を高めることができる。
【００４４】
さらに、メッセージ情報に読み出し回数情報を付与することにより、次に示すようなことが可能となる。例えば、ＲＦタグ２には読み出し回数更新部（図示せず）を設ける。例えば、メッセージ情報の読み出し回数が制限される場合には、そのメッセージ情報の読み出し回数の制限値が読み出し回数情報としてメッセージ情報と共にフラッシュメモリ７に格納される構成とする。ＲＦタグ２の読み出し回数更新部は、情報読み出し部９の動作情報に基づいて、フラッシュメモリ７からメッセージ情報が読み出されたことを検知する度に、その読み出されたメッセージ情報に付与されている読み出し回数から１を差し引いた数を新たな読み出し回数情報としてフラッシュメモリ７に上書き更新する。このようにメッセージ情報の読み出し回数情報を更新していくことにより、例えば、読み出し回数が零となったメッセージ情報は設定の読み出し回数分が読み出されたので、ＲＦタグ２は、そのメッセージ情報の読み出しを阻止することが可能となる。
【００４５】
また、読み出し回数をただ単に加算していく構成としてもよい。この場合には、次に示すようなことが可能となる。例えば、互いに異なる複数のメッセージ情報がＲＦタグ２に格納され、それら複数のメッセージ情報の中から選択されたメッセージ情報だけがＲＦタグ２から情報伝達移動体３に読み出される構成とする。そして、ＲＦタグ２の読み出し回数更新部は、情報読み出し部９の動作情報に基づいて、ＲＦタグ２から情報伝達移動体３にメッセージ情報が読み出されたことを検知する度に、その読み出されたメッセージ情報に付与されている読み出し回数に１を加算した数値を新たな読み出し回数情報としてフラッシュメモリ７に上書き更新する。これにより、ＲＦタグ２に格納されている各メッセージ情報の読み出し回数情報に基づいて、例えば、人々がどのようなものに興味を持っているのかを市場調査することができる。
【００４６】
さらに、メッセージ情報に転送要否情報を付与することにより、次に示すようなことが可能となる。例えば、情報伝達移動体３に転送可否判断部（図示せず）を設ける。その転送可否判断部は、例えば、ＲＦタグ２にメッセージ情報を送信すべく情報供給部１８が情報格納部２１から送信対象のメッセージ情報を読み出したことを検知したときに、その読み出されたメッセージ情報の転送要否情報に基づいて、そのメッセージ情報をＲＦタグ２に転送して良いか否かを判断する。そして、転送可否判断部は、メッセージ情報に転送不要という情報が転送要否情報として付与されている場合には、そのメッセージ情報のＲＦタグ２への送信を阻止する。これにより、情報伝達の範囲を制限することができる。
【００４７】
なお、もちろん、メッセージ情報の転送を希望する場合には、その転送要という情報を転送要否情報としてメッセージ情報に付与してＲＦタグ２に格納しておけば、そのメッセージ情報は情報伝達移動体３を介して、次々と他のＲＦタグ２に拡散伝達することができ、また、それら他のＲＦタグ２を介して、より多くの情報伝達移動体３にメッセージ情報を供給することが可能である。
【００４８】
さらに、メッセージ情報に転送回数情報を付与することにより、次に示すようなことが可能となる。例えば、情報伝達移動体３に転送回数更新部（図示せず）を設ける。この転送回数更新部は、例えば情報供給部１８の動作情報に基づいて、情報格納部２１からメッセージ情報が読み出されてＲＦタグ２に送信されたことを検知する度に、その読み出されたメッセージ情報に付与されている転送回数に１を加算した数値を新たな転送回数情報として情報格納部２１に上書き更新する。例えば、メッセージ情報が広告であった場合には、その広告主から転送回数に応じたポイントが情報伝達移動体３に対して付与され、情報伝達移動体３を携帯している人は、そのポイントに応じて例えば商品の値引き等のサービスを前記広告主から受けられるというサービスを提供することが可能となる。
【００４９】
また、転送回数情報と共に転送の限界値の情報をもメッセージ情報に付与しておき、情報伝達移動体３からＲＦタグ２にメッセージ情報が転送されることを検知する度に、その転送しようとしているメッセージ情報に付与されている転送回数情報と転送限界値情報に基づいて、転送した回数が転送限界値に達したか否かを判断することが可能となる。これにより、メッセージ情報の拡散伝達範囲を制限することが可能となる。
【００５０】
なお、メッセージ情報に付与される情報は、図３に示される例に限定されるものではなく、例えば、図３に示される通信時刻情報と保持有効期限情報と読み出し回数情報と転送要否情報と転送回数情報の中の１つ以上を省略してもよい。また、図３に示す情報以外の情報をメッセージ情報に付与してもよい。例えば、パスワード情報を付与してもよい。この場合には、例えば、情報伝達移動体３にはセキュリティー部（図示せず）を設ける。このセキュリティー部は、例えばＲＦタグ２からパスワード付きのメッセージ情報を受け取り当該メッセージ情報の開示が情報伝達移動体３の利用者から要求されていることを検知したときに、その情報伝達移動体３の利用者に対してパスワードの入力を促す構成を有する。そして、セキュリティー部は、メッセージ情報に付与されているパスワードと合致するパスワードが例えばキー操作により外部入力されたことを検知したときのみ、そのパスワード付きのメッセージ情報を例えば液晶画面等に表示させる。
【００５１】
このような構成を備えることにより、メッセージ情報に秘匿性を持たせることができる。これにより、この第１実施形態例に示した情報伝達システム１を利用して、例えば、個人間のメッセージ（伝言）の遣り取りを秘匿性を持たせながら行うことが可能となる。また、そのようにパスワードをメッセージ情報に付与する場合に、メッセージ情報を暗号化しておいてもよい。この場合には、例えば、情報伝達移動体３のセキュリティー部は、パスワード合致の確認後に、予め与えられた暗号解読プログラムに従ってメッセージ情報を解読してメッセージ情報を例えば液晶画面等の表示手段に表示させる構成としてもよい。
【００５２】
ところで、ＲＦタグ２のフラッシュメモリ７には情報の格納容量に限りがあるので、情報伝達移動体３側からのメッセージ情報を格納していくうちに、フラッシュメモリ７の空き容量が無くなることが想定される。このことを考慮して、次に示すような構成を備えることが好ましい。すなわち、ＲＦタグ２の制御装置６に、図１の鎖線に示されるようなメモリ管理部２４を設ける。このメモリ管理部２４は、フラッシュメモリ７に格納されているメッセージ情報（メッセージ情報に宛先情報等の他の情報が付与されている場合にはメッセージ情報およびそれに付与されている情報）を予め定めた制御手順でもって順次消去する。このメモリ管理部２４によって、フラッシュメモリ７の空き容量が自動的に確保されて、情報伝達移動体３側からの新たなメッセージ情報の書き込みに備えることができる。
【００５３】
具体例を挙げると、例えば、ＲＦタグ２にメモリ管理部２４を設ける場合には、情報伝達移動体３には時計機構（図示せず）を設ける。そして、情報伝達移動体３は、例えば、ＲＦタグ２と無線通信が可能な状態になったことを検知したときに、時計機構の時刻情報をＲＦタグ２に向けて送信する構成を備える。
【００５４】
ＲＦタグ２では、情報伝達移動体３からアンテナ４と受信部１０を介して受信したメッセージ情報を情報書き込み部８がフラッシュメモリ７に格納する際に、情報書き込み部８は、そのメッセージ情報に、情報伝達移動体３から送信されてきた時刻情報を通信時刻情報として付与してフラッシュメモリ７に格納する。
【００５５】
メモリ管理部２４は、例えば、外部（情報伝達移動体３）からの電磁波供給によって駆動用電力発生部５が電力を発生している期間毎に、フラッシュメモリ７に格納されているメッセージ情報の通信時刻情報を調べ、予め定めた時刻情報を利用した情報消去条件に該当するメッセージ情報およびそれに付与されている情報をフラッシュメモリ７から消去する。例えば、フラッシュメモリ７に格納されている情報のうち、通信時刻情報が古いものから設定の順番以内であるという条件を情報消去条件として設定してもよいし、フラッシュメモリ７に格納されてから予め定めた時間を経過しているという条件を情報消去条件として設定してもよい。
【００５６】
上記のような構成のメモリ管理部２４を設けることによって、古くて不要であると判断されたメッセージ情報およびそれに付与されている情報を順次フラッシュメモリ７から消去していくことができる。これにより、情報伝達移動体３側からの新たなメッセージ情報を空き容量不足によりフラッシュメモリ７に書き込みできないという問題を防止することができる。
【００５７】
なお、メモリ管理部２４は、上記以外の構成によって、フラッシュメモリ７の空き容量を確保する構成としてもよい。また、メモリ管理部２４は、ＲＦタグ２の駆動中に、例えばガベージコレクションを行って、フラッシュメモリ７を整理する構成をも有していてもよい。
【００５８】
また、ここでは、ＲＦタグ２のフラッシュメモリ７の空き容量を確保するためにメモリ管理部２４をＲＦタグ２に設ける例を示したが、もちろん、情報伝達移動体３においても、そのメモリ管理部２４と同様の構成を持つ情報格納部２１の管理部を設けてもよい。
【００５９】
以下に、ＲＦタグ２と、情報伝達移動体３とのそれぞれにおける動作の一例を図４のフローチャートに基づいて説明する。まず、ＲＦタグ２において、情報伝達移動体３から電源供給が開始され駆動を始めると、ステップ１０１で、情報伝達移動体３から時刻情報を取得する。次に、ステップ１０２で、情報伝達移動体３からの書き込み要求のメッセージ情報の受信に備える。そして、情報書き込み部８は、アンテナ４と受信部１０を介して書き込み要求のメッセージ情報を受け取ったことを検知したときには、ステップ１０３で、その書き込み要求のメッセージ情報をフラッシュメモリ７に格納する。そして、ステップ１０４に進む。また、前記ステップ１０２において、情報伝達移動体３から書き込み要求のメッセージ情報を受信せずに例えば設定の待機限界条件を満たしたことを検知したときには、ステップ１０４に進む。
【００６０】
ステップ１０４では、例えばフラッシュメモリ７に格納されているメッセージ情報の中から指定された情報を情報伝達移動体３に向けて送信する。そして、ステップ１０５において、その読み出されたメッセージ情報に付与されている読み出し回数から１を差し引いた回数を新たな読み出し回数情報として上書き更新する。その後、ステップ１０６において、例えばメモリ管理部２４により、フラッシュメモリ７に格納されているメッセージ情報の中から不要と判断されたメッセージ情報の削除を行う。然る後、ＲＦタグ２の動作が終了する。
【００６１】
一方、情報伝達移動体３にあっては、ＲＦタグ２との無線通信が可能となっている状態で、ステップ２０１において、例えば、情報伝達移動体３のキー操作情報や、メッセージ情報に付与されている転送要否情報などに基づいて、情報格納部２１に格納されているメッセージ情報の中で、ＲＦタグ２に転送したいメッセージ情報が有ることを検知した場合には、ステップ２０２において、情報供給部１８が、そのＲＦタグ２への転送希望のメッセージ情報を情報格納部２１から読み出して、当該メッセージ情報をアクセス制御部１７とアンテナ１３を介してＲＦタグ２に向けて送信する。これにより、ＲＦタグ２にそのメッセージ情報が書き込まれる。
【００６２】
そして、情報伝達移動体３は、メッセージ情報をＲＦタグ２に供給し終えた後に、ステップ２０３に進む。また、前記ステップ２０１で、ＲＦタグ２へ転送したいメッセージ情報が無いことを検知したときにも、ステップ２０３に進む。
【００６３】
ステップ２０３では、情報格納部２１に新たな情報を格納することができる空き容量が有るか否かを判断する。この判断の結果、空き容量が無いと判断したときには、ＲＦタグ２からメッセージ情報を取り込んでも当該メッセージ情報を情報格納部２１に格納することができないので、ＲＦタグ２からのメッセージ情報の取り込みは行わずに、ＲＦタグ２との通信動作を終了する。
【００６４】
また、ステップ２０３において、情報格納部２１に空き容量が有ると判断したときには、ステップ２０４で、ＲＦタグ２に格納されているメッセージ情報の例えばタイトル情報を取り込む。そして、情報取り込み部１９は、取り込みたいメッセージ情報が指定されたことを検知した場合には、ＲＦタグ２に対して、その指定された情報の送信要求を送信し、指定のメッセージ情報をＲＦタグ２から読み出して、情報格納部２１に格納する。情報保存が成された後に、ＲＦタグ２との通信動作を終了する。
【００６５】
以下に、第２実施形態例を説明する。なお、この第２実施形態例の説明において、第１実施形態例と同一構成部分には同一符号を付し、その共通部分の重複説明は省略する。
【００６６】
この第２実施形態例において特徴的なことは、図５に示されるように、複数のＲＦタグ２のうちの少なくとも１つには、インターネット通信部２６が設けられていることである。このインターネット通信部２６は、インターネットに接続して情報通信を行うものである。インターネット通信部２６が持つ機能としては、例えば、インターネットを介して受信したメッセージ情報を情報書き込み部８によりフラッシュメモリ７に書き込ませる機能（受信・書き込み機能）と、情報伝達移動体３からＲＦタグ２のフラッシュメモリ７に書き込まれたメッセージ情報の中に、インターネット上の宛先を持つメッセージ情報が含まれている場合には当該情報をフラッシュメモリ７から読み出してインターネットを介し指定の宛先に向けて送信する機能（読み出し・送信機能）とが考えられる。この第２実施形態例では、インターネット通信部２６は、受信・書き込み機能あるいは読み出し・送信機能の一方、又は、受信・書き込み機能および読み出し・送信機能の両方の機能を備えている。
【００６７】
このような構成を備えることにより、例えば、インターネットを利用して、気象情報や、交通情報等の時々刻々と変化する情報（メッセージ情報）を刻々とＲＦタグ２に供給することができる。これにより、情報伝達移動体３を携帯する人は、ＲＦタグ２からより新しい気象情報や交通情報等の情報を得ることが可能となって、情報伝達システム１の情報提供の利便性を高めることができる。
【００６８】
以下に、第３実施形態例を説明する。なお、この第３実施形態例の説明では、第１や第２の各実施形態例と同一構成部分には同一符号を付し、その共通部分の重複説明は省略する。
【００６９】
この第３実施形態例では、図６に示されるように、複数の予め定められたＲＦタグ２同士が無線又は有線により信号接続しており、それら信号接続し合う全てのＲＦタグ２には、それぞれ、情報同期部２７が設けられている。この情報同期部２７は、信号接続し合っているＲＦタグ２間の信号通信（情報通信）により、それら信号接続し合っている各ＲＦタグ２に同じメッセージ情報を持たせるための構成を備えている。これにより、この第３実施形態例では、信号接続し合っている複数のＲＦタグ２のうちの一つに情報伝達移動体３からメッセージ情報（図６の例では情報Ａ）が供給されたときには、その供給されたメッセージ情報（情報Ａ）は、情報同期部２７によって、信号接続し合っている他のＲＦタグ２にも格納される。このため、信号接続し合っている複数のＲＦタグ２のうちの一つにメッセージ情報を格納すれば、その格納されたメッセージ情報と同じメッセージ情報を、信号接続し合っている他のＲＦタグ２から読み出すことが可能となる。
【００７０】
この第３実施形態例では、上記以外の構成は第１や第２の各実施形態例と同様である。この第３実施形態例において特有な構成を持つことにより、次に示すような交通情報提供システムを構築することができる。
【００７１】
例えば、図７に示されるように、対を成すＲＦタグ２の組が複数組互いに間隔を介し道路に沿って配設されており、それぞれのＲＦタグ２の組において、対を成すＲＦタグ２の一方側は例えば上り車線側に配置され、他方側のＲＦタグ２は下り車線側における上記一方側のＲＦタグ２の近傍位置に配設されている。それら対を成すＲＦタグ２同士は信号接続されており、各ＲＦタグ２には、それぞれ、情報同期部２７が設けられている。
【００７２】
例えば、車の交通状況を取り込むための装置（例えば、車載カメラや、車の走行速度を調べる速度検出センサ等）を搭載した車が下り車線を走行しながら、反対側の上り車線の交通状況を上記装置を利用して取り込む。それと共に、その取り込んだ情報に基づいた上り車線の交通情報をメッセージ情報として、前記下り車線移動中の車に搭載されている情報伝達移動体３から下り車線側のＲＦタグ２に次々と格納していく。その下り車線側のＲＦタグ２に格納された上り車線の交通情報は、情報同期部２７によって、信号接続している上り車線側のＲＦタグ２にも格納される。このため、上り車線を走行している車は、搭載している情報伝達移動体３を利用して上り車線側のＲＦタグ２から上り車線の交通情報を読み出すことができる。これにより、上り車線を走行している車は、上りの先の交通状況を取得することができる。
【００７３】
このような交通情報提供システムは、簡単な構成で安価なＲＦタグ２および情報伝達移動体３を利用して構築できるので、高価な装置を用いなくとも、簡単に、交通情報を移動中の車に対して提供することが可能となる。また、上記交通情報提供システムを構成する複数のＲＦタグ２のうちの少なくとも１つに、第２実施形態例に示したようなインターネット通信部２６を設けてもよい。この場合には、上記したような交通情報提供システムを利用して、インターネット側から移動中の車に対して様々な情報を提供することが可能となる。
【００７４】
なお、走行中の車は、走行速度が速いので、情報伝達移動体３とＲＦタグ２間の情報通信がうまくいかないことが考えられる。そのようなことが懸念される場合には、例えば、ＲＦタグ２は、例えば交差点などの車が停止する位置又はその近傍位置に設けることが好ましい。これにより、車に搭載されている情報伝達移動体３と、ＲＦタグ２と間の情報通信をより確実に行うことが可能となる。
【００７５】
なお、この発明は第１〜第３の各実施形態例に限定されるものではなく、様々な実施の形態を採り得る。例えば、第１〜第３の各実施形態例では、公共の場の複数の設定位置にそれぞれＲＦタグ２が１つずつ配設される構成であったが、例えば、同じ位置に複数のＲＦタグ２を並べて配置しておいてもよい。これにより、ＲＦタグ２の情報保持に対する信頼性を向上させることができる。
【００７６】
また、第１〜第３の各実施形態例では、情報伝達移動体３は、一つのＲＦタグ２から読み込んだ情報を他のＲＦタグ２に書き込んでいく例を示したが、もちろん、情報伝達移動体３がＲＦタグ２以外の情報源（例えばインターネットなど）から取り込んだり、外部入力手段により外部入力されて情報伝達移動体３が保有している情報を一つ以上のＲＦタグ２に書き込んでいくことが可能な構成をも備えていてもよいものである。
【００７７】
さらに、第１〜第３の各実施形態例の構成に加えて、情報伝達移動体３にインターネット通信部を設けてもよい。このインターネット通信部は、第２実施形態例に示したＲＦタグ２に設けられるインターネット通信部２６と同様に、受信・書き込み機能あるいは読み出し・送信機能の一方、又は、受信・書き込み機能および読み出し・送信機能の両方の機能を備えている。なお、ここでは、受信・書き込み機能とは、インターネットを介して受信したメッセージ情報を記憶部１４の情報格納部２１に書き込む機能のことである。また、読み出し・送信機能とは、ＲＦタグ２から情報伝達移動体３に取り込まれて情報格納部２１に格納されたメッセージ情報の中に、インターネット上の宛先を持つメッセージ情報が含まれている場合には、当該メッセージ情報を情報格納部２１から読み出してインターネットを介し指定の宛先に向けて送信する機能のことである。
【００７８】
情報伝達移動体３に上記インターネット通信部を設けることにより、インターネット上の情報（メッセージ情報）を、情報伝達移動体３を介して、ＲＦタグ２に書き込むことができる。また、ＲＦタグ２が保有しているメッセージ情報を、情報伝達移動体３を介し、インターネットに向けて送信することができる。これにより、より一層、各実施形態例に示した情報伝達システム１の利便性を高めることができる。
【００７９】
さらに、メッセージ情報の例として、商品広告や、特定又は不特定の人に向けての伝言や、映画やイベントの宣伝や、情報提供を呼びかけるメッセージ等を挙げたが、例えば、メッセージ情報として、盗難車の情報を例えば道路や道路に面している位置のＲＦタグ２に格納しておいてもよい。この場合には、例えば、車に情報伝達移動体３を搭載しておき、その車がＲＦタグ２に近付くと、車載の情報伝達移動体３が自動的にＲＦタグ２に向けて送信元情報（例えば、その車固有のＩＤ情報）付きのメッセージ情報を送信する構成としておく。そして、車が盗難に遭ってしまったときには、その車固有のＩＤ情報を盗難車情報としてＲＦタグ２に格納する。そして、ＲＦタグ２は、情報伝達移動体３から送信されてきたメッセージ情報の送信元情報を、格納されている盗難車情報に照合し、その結果、送信元情報が盗難車情報に合致すると判断したときには、強制停止指令信号をＲＦタグ２から情報伝達移動体３に向けて送信する。その強制停止指令信号により、車を強制停止させることが可能となる。
【図面の簡単な説明】
【００８０】
【図１】本発明に係る情報伝達システムを構成する情報保持装置と情報伝達移動体のそれぞれの制御構成の一例を説明するためのブロック構成図である。
【図２】本発明に係る情報伝達システムを利用した場合の情報伝達の一例を模式的に表したイメージ図である。
【図３】情報伝達システムにおいて伝達される情報のフォーマットの一形態例を説明するためのイメージ図である。
【図４】情報保持装置（ＲＦタグ）と、情報伝達移動体とのぞれぞれの動作の一例を表したフローチャートである。
【図５】第２実施形態例を説明するためのモデル図である。
【図６】第３実施形態例を説明するためのモデル図である。
【図７】第３実施形態例に示した情報伝達システムを利用した交通情報提供システムの一構成例を説明するためのモデル図である。
【符号の説明】
【００８１】
１  情報伝達システム
２  ＲＦタグ
３  情報伝達移動体
７  フラッシュメモリ
８  情報書き込み部
９  情報読み出し部
１１  情報送信部
１５  電力供給部
１８  情報供給部
２１  情報格納部
２６  インターネット通信部
２７  情報同期部
【図１】
2005063310.tif 000003
【図２】
2005063310.tif 000004
【図３】
2005063310.tif 000005
【図４】
2005063310.tif 000006
【図５】
2005063310.tif 000007
【図６】
2005063310.tif 000008
【図７】
2005063310.tif 000009